(57)【特許請求の範囲】
【請求項１】
フロントパネル（２）が調整可能となるよう保持されるサイドフレーム（３）を有する引出しにおいて、
フロント調整器が前記サイドフレーム（３）と前記フロントパネル（２）との間に設けられており、
前記フロント調整器は、スライド（４）を有する引出し用フロント調整器であって、前記スライド（４）が、前記サイドフレーム（３）に固定され、かつ、前記フロントパネル（２）に接続されるガイド（５）上に移動可能に装着され、回転可能なウォームホイール（６）が前記ガイド（５）と前記スライド（４）との間に配置され、前記ウォームホイールが回転時に前記スライド（４）を前記ガイド（５）に沿って移動させ、
前記サイドフレーム（３）が、下側部分（３０）、および前記下側部分（３０）の上方に配置されるフレーム取付部（３１）を有し、
前記フロント調整器が前記フレーム取付部（３１）に設置され、前記フロントパネル（２）が前記サイドフレーム（３）の前記下側部分（３０）に回動可能に保持されていることを特徴とする、引出し。
【請求項２】
前記ウォームホイール（６）が前記スライド（４）の少なくとも１つの突起（１９）と係合されることを特徴とする、請求項１に記載の引出し。
【請求項３】
前記スライド（４）及び前記ガイド（５）が細長片形状として設けられることを特徴とする、請求項１または２に記載の引出し。
【請求項４】
前記ガイド（５）が、断面がＵ形状として設けられ、前記スライド（４）を側方から取り囲むことを特徴とする、請求項１〜３のいずれか一項に記載の引出し。
【請求項５】
前記ウォームホイール（６）が、前記ガイド（５）の開口（１４）内で回転できるように装着されていることを特徴とする、請求項１〜４のいずれか一項に記載の引出し。
【請求項６】
前記ウォームホイール（６）が渦巻き状突起（１８）を有し、前記渦巻き状突起（１８）が前記スライド（４）の少なくとも１つの突起（１９）と係合されることを特徴とする、請求項１〜５のいずれか一項に記載の引出し。
【請求項７】
前記ウォームホイール（６）が前記スライド（４）と前記ガイド（５）との間のキャビティ内に配置されることを特徴とする、請求項１〜６のいずれか一項に記載の引出し。
【請求項８】
前記ガイド（５）の前面を締結手段（１１）により前記フロントパネル（２）に固定できることを特徴とする、請求項１〜７のいずれか一項に記載の引出し。
【請求項９】
前記ガイド（５）が、少なくとも１つの開口又は１つのスロット（１３）を前面に有することを特徴とする、請求項１〜８のいずれか一項に記載の引出し。
【請求項１０】
前記スライド（４）及び前記ガイド（５）を互いに締め付け固定できることを特徴とする、請求項１〜９のいずれか一項に記載の引出し。
【請求項１１】
前記スライド（４）と前記ガイド（５）とを互いに固定するためにロックネジ（７，２１）が前記スライド（４）及び／又は前記ガイド（５）に設けられることを特徴とする、請求項１〜１０のいずれか一項に記載の引出し。
【請求項１２】
前記フレーム取付部（３１）がガラスプレートとして設けられていることを特徴とする、請求項１〜１１のいずれか一項に記載の引出し。
【発明の詳細な説明】
【技術分野】
【０００１】
本発明は、サイドフレームに固定でき、フロントパネルに接続できるガイド上に移動可能に装着されるスライドを有する引出し用フロント調整器、及び、引出しに関する。
【背景技術】
【０００２】
独国特許文献ＤＥ  １００  ２１  ０３３は引出しのフロントパネル用の調整装置を開示しており、この調整装置では、多数の調整手段がピニオン、レバー、及び、歯付きラックの形態でハウジング内に設けられ、調整手段を使用して引出しフレームに対するフロントパネルの相対的な調整が可能である。調整機構は、複数の構成要素を必要とし、製造が比較的複雑である。
【０００３】
独国特許文献ＤＥ  ３９  ３０  ６６２は、引出しのフロントパネル用の調整装置を開示しており、この調整装置では、側方から作動され得るネジがギアホイールと噛み合い、ギアホイールは、縦調整のために凹部内で案内される中心ピンを有する。そのようなギア構造は、対応する調整を可能にするが、製造及び設置が比較的複雑である。
【０００４】
最後に、米国特許第３，０４１，６５７号は、調整能力が垂直方向で与えられるハンギングドア用の家具取付具を開示している。回転可能な湾曲ガイドがハウジングに装着され、湾曲ガイドを使用して、レール上を移動可能なホルダを調整できる。そのようなハンギングドアの場合、調整装置は、調整後、発生する高い重量の力によりロックされる可能性があり、取付部品は、強度を必要とするため、一般に金属を備える。
【発明の概要】
【発明が解決しようとする課題】
【０００５】
したがって、本発明の目的は、簡単な構造を有し、サイドフレームに対するフロントパネルの調整を可能にする引出し用フロント調整器を提供することである。
【課題を解決するための手段】
【０００６】
この目的は、請求項１の特徴を有する引出し用のフロント調整器によって達成される。
【０００７】
本発明によれば、フロントパネルに固定できるガイド上及びサイドフレームに固定できるレール上に回転可能なウォームホイールが配置され、ウォームホイールは回転時にスライドをガイドに沿って移動させる。したがって、数少ない構成要素のみから形成され、容易に設置できる、引出しのフロントパネルのための調整能力を与えることができる。また、このフロント調整器は、コンパクトな構造で実現でき、狭い空間条件で用いるのに適する。
【０００８】
正確な調整のため、ウォームホイールが少なくとも１つの突起を使用してスライドと係合される。複数の突起がウォームホイールと同時に係合され、それにより、ウォームホイールとスライドとの間で特に良好な案内がなされることが好ましい。
【０００９】
本発明の好ましい構造によれば、スライド及びガイドは、細長片形状として設けられるとともに、対応するガイド面によって互いに対して比較的正確に案内されてもよい。また、細長片形状の実施が平坦な構造を可能にし、積極的なインターロックが対応する断面構造によって可能である。ガイドは、断面がＵ形状として設けられ、スライドを側方から取り囲むことが好ましい。
【００１０】
ウォームホイールは、ガイドの開口内で回転できるように装着されることが好ましい。この場合、円形突起を使用してウォームホイールを開口内に挿入することができ、ウォームホイールは、スライドの少なくとも１つの突起と係合される渦巻き状突起を有する。したがって、ウォームホイールの回転時に突起を直線的に移動させることができる。ウォームホイールをスライドとガイドとの間のキャビティ内に位置させることができ、そのため、更なる保持手段又は支持手段が不要である。また、このように形成されるフロント調整器は、容易に、破壊せずに取り外し得る。
【００１１】
ガイドの前面を締結手段によりフロントパネルに固定できることが好ましい。ガイドは、例えば少なくとも１つの開口又は１つのスロットを有することができ、該開口又はスロットにネジを固定できる。また、接着剤又は機械的な締結具による他の固定も可能である。
【００１２】
調整作業後にスライドとガイドとを互いに固定できるように、スライド及びガイドを例えば互いに締め付け固定することができる。この目的のため、ロックネジをスライド及び／又はガイドに設けることができる。スライド及びガイドの意図しない調整を避けるために、他の固定要素が使用されてもよい。
【００１３】
本発明によれば、対応するフロント調整器を有する引出しも提供される。フロント調整器がフレーム取付部に設置されるのが好ましく、また、フロントパネルがサイドフレームの下側部分に回動可能に保持される。フレーム取付部は引出しの後壁からフロントパネルまで延びているため、フロント調整器を使用して力をフレーム取付部を介してフロントパネルから後壁へと直接に伝えることができ、それにより、サイドパネルの長手方向で短い距離の調整が可能となる。更に、長手方向調整能力の結果として、引出しに対するフロントパネルの傾きを設定できる。
【００１４】
問題は、多くの場合、特に、フロントパネルの表面が完全に面一ではなく、むしろ、フロントパネルが上縁で互いから幾分突き出る、又は本体に対して非常に密接に押し付くような高さのある引出しの場合に生じる。傾き調整は修正のために可能である。
【００１５】
以下、添付図面を参照して、複数の典型的な実施形態に基づいて本発明を更に詳しく説明する。
【図面の簡単な説明】
【００１６】
【図１】引出し用フロント調整器の設置状態の斜視図を示している。
【図２】図１のフロント調整器の分解斜視図を示している。
【図３】Ａ〜Ｃは、引出しを伴わない図１のフロント調整器の図を示している。
【図４】Ａ及びＢはそれぞれ異なる位置にある図３のフロント調整器の図を示している。
【図５】Ａ〜Ｃは図３のフロント調整器の設置中の図を示している。
【図６】Ａ及びＢは変形実施形態に係るフロント調整器の図を示している。
【発明を実施するための形態】
【００１７】
引出し用のフロント調整器１は、フロントパネル２とサイドフレーム３との間に設置される。サイドフレーム３は下側部分３０とフレーム取付部３１とを有する。フロント調整器１は、フレーム取付部３１に設置され、サイドフレームの長手方向の調整を可能にする。したがって、フロントパネル２を回動させることができ、回動軸線３２は下側部分３０とフロントパネル２との間の領域に設けられる。フレーム取付部３１は、プレート、特にガラスプレートとして、あるいは、手摺り棒又はプロファイルとして設けることができる。
【００１８】
フロントパネル２は、前側締結取付具を使用して回動軸線３２の領域で固定することができ、前側締結取付具は、縦調整機構及び横調整機構を有してもよく、また、深さ調整手段を有してもよい。
【００１９】
図２に示されるように、フロント調整器１は、それがガイド５に沿って移動できるように位置するスライド４を備える。スライド４及びガイド５は、細長片形状として設けられ、プラスチック及び／又は金属から形成されてもよい。
【００２０】
ガイド５は床領域に円形開口１４を有し、開口１４にはウォームホイール６が回転可能に装着される。
【００２１】
スライド４はネジ７を介して引出しのサイドフレーム３に接続固定され、ネジ７は、サイドフレーム３の開口９内へ挿入される、例えばプラスチックから成るスリーブ８内で案内される。ネジ７は、スライド４のネジ穴１０内にネジ部を使用して固定される。スライド４をサイドフレーム３に固定するために他の締結手段が設けられてもよく、例えば、スライド４は、特にそれがガラスプレートとして設けられる場合には取付部３１に接着することもできる。
【００２２】
ガイド５をフロントパネル２に固定するために少なくとも１つのネジ１１が設けられ、該ネジは、ガイド５の前壁のスロット又は開口１３に挿入することができる。ネジ１１は、ネジ部を使用してフロントパネル２の穴１２に捩じ込まれる。
【００２３】
図３に示されるように、細長片形状のガイド５は、側壁１５を有するＵ形状断面を成しており、側壁は、内側に向けられるウェブ１６をそれらの端部に有する。したがって、スライド４の細長片形状の突起１７は、いずれの場合にも、スライド４及びガイド５を長手方向に直線的に移動させることができるように取り囲まれる。
【００２４】
ガイド５に対するスライド４の位置を調整するため、スライド４には、ウォームホイール６の渦巻き状突起１８と係合できる突起１９が、ガイド５に面する側に設けられる。渦巻き状突起１８は、開口１４によって形成される軸線を中心に回転できるとともに、ウォームホイール６の回転時に突起１９、したがってスライド４が直線的に移動されるようにする。ユーザは、ネジ回し２０を使用してウォームホイール６を回転させることしかできず、その場合、細長片形状の突起１８も複数の突起１９と係合できる。
【００２５】
フロント調整器の位置が図４のＡに示されており、この位置では、スライド４がガイド５内に完全に受けられる（最大引き込み位置）。ガイド５は締結ネジ１１を介してフロントパネルに固定され、また、ウォームホイール６は、スライド４が引き込まれる位置へと回転されている。スライド４を調整し、したがって、サイドフレーム３の取付部３１の長さを調整するため、図４のＢに示される伸長位置に達するまでウォームホイール６が回転される。ウォームホイールの細長片形状の突起１８は、特定の突起１９をガイド５から一方向に押し出し、それにより、対応する調整をもたらしている。
【００２６】
フロント調整器の設置が図５のＡ〜Ｃに詳しく示されている。最初に、スライド４がサイドフレーム３に締結され、その場合、ネジ７は未だ完全に締め付けられない。他方側では、１つ以上のネジ１１を介してガイド５がフロントパネル２に固定され、その場合、ウォームホイール６がガイド５上に配置される。その後、スライド４がガイド５内に挿入され、また、ウォームホイール６が更に回転されて、それにより、渦巻き状突起１８が突起１９のうちの１つと係合する。
【００２７】
この事前固定位置において、前述した方法でサイドフレーム３に対するフロントパネル２の調整を行なうことができる。設定後、ネジ７を更に捩じ込んで、スライド４をガイド５に対して固定することができる。ネジ７の前側は、締め付け固定のためにガイド５のベース上で移動させることができる。あるいは、ネジ７がウォームホイール６の部分に対して動かされることも可能である。それにより、スライド４及びガイド５が互いに固定され、意図しない調整が避けられる。
【００２８】
図５のＡ〜Ｃにおいて、固定は、ガイド５をフレーム取付部のプレート３１に押し付けることによって行なわれる。この場合、ネジを締め付けることによりスライド４がガイド５の脚部をプレートに対して締め付ける。図５のＡでは、ガイド５とフレーム取付部３１との間に小さい隙間を見てとることができ、この隙間は図５では無くなっている。
【００２９】
更なるロックネジ２１がガイド５の側面に設けられるフロント調整器の変形実施形態が図６のＡ及びＢに示されており、ロックネジ２１を使用して、スライド４及びガイド５を互いに固定することができる。残りの部品は、先の典型的な実施形態の場合と同様に設けられ、したがって、同じ参照符号が付されている。ロックネジ２１は、ガイド５のネジ穴に螺合固定されており、ロックネジがスライド４に当接して該スライドをクランプにより固定するまでネジ回し２０により捩じ込むことができる。
【００３０】
図示の典型的な実施形態では、フロントパネル２の傾きがフロント調整器１によって調整される。無論、フロントパネル２の縦調整又は横調整のためのフロント調整器を使用することもできる。特に、勿論、スライド４をフロントパネル２に取り付けて、ガイド５をサイドフレーム３に取り付けることができる。また、ガイド５の代わりに、スライド４が円形開口を有し、該円形開口にウォームホイールを回転可能に装着することができる。
【００３１】
また、例えば、サイドフレーム３及び／又はフロントパネル２がプラスチックから形成され、又は屈曲シートメタルから形成される場合には、スライド４及びガイド５をサイドフレーム３又はフロントパネル２と一体に設けることができる。
【００３２】
フレーム取付部３１など、フロントパネル２上に調整可能に保持される部品は、フレーム取付部３１とフロントパネル２との間の調整中に生じる隙間が隠されるような更なる構造で形成することもできる。この目的のため、フレーム取付部３１をフロントパネル２の溝に押し込むこともできる。
【００３３】
サイドフレーム３は、下側部分３０及びフレーム取付部３１を有する代わりに、側壁として一体品で設けることもできる。
【図１】
0005515052.tif 000002
【図２】
0005515052.tif 000003
【図３Ａ】
0005515052.tif 000004
【図３Ｂ】
0005515052.tif 000005
【図３Ｃ】
0005515052.tif 000006
【図４Ａ】
0005515052.tif 000007
【図４Ｂ】
0005515052.tif 000008
【図５Ａ】
0005515052.tif 000009
【図５Ｂ】
0005515052.tif 000010
【図５Ｃ】
0005515052.tif 000011
【図６Ａ】
0005515052.tif 000012
【図６Ｂ】
0005515052.tif 000013